(57)【要約】【課題】            形状や寸法が異なる各種のオス型コネクタに接続することができ、且つ、オス型コネクタへの接続作業が容易であるメス型コネクタ及び接続具を提供する。【解決手段】        液状物が流出する管状部を有するオス型コネクタと接続可能である、軟質部材と硬質部材からなるメス型コネクタであって、軟質部材は可撓性及び弾性を有し、かつ一端にオス型コネクタ管状部が挿入される開口を有する筒状体であって、硬質部材は軟質部材よりも高い剛性を有し、軟質部材の外側周囲に円筒状に軟質部材と一体となるよう積層されて把持部を形成してなることを特徴とするメス型コネクタ。【選択図】          図１
2010126250.tif 000002
【特許請求の範囲】
【請求項１】
液状物が流出する管状部を有するオス型コネクタと接続可能である、軟質部材と硬質部材からなるメス型コネクタであって、
軟質部材は可撓性及び弾性を有し、かつ一端にオス型コネクタ管状部が挿入される開口を有する筒状体であって、
硬質部材は軟質部材よりも高い剛性を有し、軟質部材の外側周囲に円筒状に軟質部材と一体となるよう積層されて把持部を形成してなることを特徴とするメス型コネクタ。
【請求項２】
前記硬質部材の外側にさらに軟質部材が積層され、硬質部材が軟質部材の内部に埋め込まれた形態となっていることを特徴とする、請求項１に記載のメス型コネクタ。
【請求項３】
前記硬質部材は、前記オス型コネクタと係合可能な係合部を備える、請求項１または２のいずれかに記載のメス型コネクタ。
【請求項４】
前記硬質部材は、前記メス型コネクタのオス型コネクタ側接続側軟質部材端部よりも突出した鍔部を備え、前記係合形状は前記鍔部に設けられている、請求項３に記載のメス型コネクタ。
【請求項５】
液状物が流出する管状部を有するオス型コネクタと、前記オス型コネクタに接続されるメス型コネクタとからなる接続具であって、該メス型コネクタが請求項１ないし４のいずれかに記載のメス型コネクタであることを特徴とする接続具。
【請求項６】
前記オス型コネクタと前記メス型コネクタそれぞれに、相互が係合しあう係合部が設けられている請求項５に記載の接続具。
【発明の詳細な説明】
【技術分野】
【０００１】
本発明は、容器内の液状物が流出するオス型コネクタに接続されるメス型コネクタに関する。また、本発明は、オス型コネクタとメス型コネクタとからなる接続具に関する。
【背景技術】
【０００２】
経口によらずに患者に栄養や薬剤を投与する方法として経腸栄養療法や静脈栄養療法が知られている。経腸栄養療法では、患者の鼻腔から胃または十二指腸にまで通されたチューブを介して栄養剤、流動食、または薬剤などの液状物（一般に「経腸栄養剤」と呼ばれる）が投与される。また、静脈栄養療法では、患者の静脈に挿入された輸液ラインを介してブドウ糖などの栄養成分や薬剤成分を含む液状物（一般に「輸液」と呼ばれる）が投与される。
【０００３】
経腸栄養療法を行う際に患者に投与される液状物は医療用容器に収納される。医療用容器の下端には、液状物が流出するオス型コネクタが設けられている。医療用容器内の液状物は、一般に経腸栄養セットと呼ばれるチューブを介して患者に投与される。チューブの一端には、オス型コネクタと接続されるメス型コネクタが設けられている（例えば特許文献１参照）。
【０００４】
医療容器に設けられたオス型コネクタは、通常、液状物が流出する管状部を有するが。その形状や寸法に関して標準となる規格は存在せず、医療用容器やオス型コネクタのメーカーごとに異なる。図１９〜図２７は、各メーカーが採用している従来のオス型コネクタの管状部９０１Ａ〜９０１Ｉを示した側面図である。これらに示されるように、オス型コネクタの管状部の外周面の形状、外径、長さなどに関する規格はメーカーごとに異なっている。
【０００５】
経腸栄養を行なう施設（例えば医療機関）においては、従来、経腸栄養剤が充填される容器および経腸栄養セットは再利用される場合が多く、その場合には、容器と経腸栄養セットとを接続した状態で洗浄、消毒、経腸栄養剤の充填が行なわれていた。ところが、近年、感染防止の観点から、経腸栄養剤を使い捨ての容器に充填した状態で販売されるプレフィルド型栄養剤が普及しつつある。プレフィルド型栄養剤の普及に伴い、容器と経腸栄養セットとが別体として取り扱われる機会が増え、上記のように容器のオス型コネクタの管状部に関して各種の規格が存在することに起因する、容器のオス型コネクタと経腸栄養セットのメス型コネクタとの適合不良（接続不良）の問題が顕在化してきた。
【０００６】
各種のオス型コネクタに接続可能な従来の汎用のメス型コネクタとしては、図２８（Ａ）に示すように、形状や寸法が異なる各種のオス型コネクタの管状部９０１に接続できるように、チューブ９０３の一端に接続された弾性を有する円筒状のゴム管９０２が用いられていた。図２８（Ｂ）に示すようにゴム管９０２を管状部９０１の外周面上に被せるように矢印９１０の向きに挿入し、図２８（Ｃ）に示すようにゴム管９０２と管状部９０１とを接続する。ゴム管９０２は、管状部９０１の外周面のテーパ形状に応じて伸び且つ変形し、その弾性回復力により管状部９０１の外周面に密着する。
【０００７】
【特許文献１】特開平１１−２８２４４号明細書
【特許文献２】特開２００８−９３２１１号明細書
【発明の開示】
【発明が解決しようとする課題】
【０００８】
しかしながら、図２８（Ａ）に示したゴム管９０２からなる従来の汎用のメス型コネクタは、管状部９０１とゴム管９０２との間に発生する摩擦力のために、管状部９０１をゴム管９０２に挿入する接続作業がしづらいという問題を有していた。すなわち、接続作業では、図２９（Ｂ）におけるゴム管９０２の領域９０２ａを把持して管状部９０１との接続を行なうが、把持力によってゴム管９０２と管状部９０１が圧迫されて両者の摩擦を増大させるので、管状部９０１に対してゴム管９０２を移動させるのが困難である。そこで、図２８（Ｂ）において、管状部９０１に被さっていないゴム管９０２の領域９０２ｂまたはチューブ９０３を把持すると、矢印９１０の向きの力によってゴム管９０２が容易に座屈変形してしまい、やはり管状部９０１に対してゴム管９０２を移動させるのが困難である。
【０００９】
ゴム管９０２が容易に伸びるようにその柔軟性を高めると、ゴム管９０２がさらに座屈変形しやすくなり、接続作業は却って困難になる。また、ゴム管９０２の内径を大きくすると、管状部９０１とゴム管９０２との間の摩擦力を小さくすることができるので、管状部９０１とゴム管９０２との接続作業は容易になる。ところが、この場合、管状部９０１に装着されたゴム管９０２が容易に脱落してしまったり、管状部９０１とゴム管９０２との間から液状物が漏れたりするという新たな問題が発生する。
【００１０】
また、オス型コネクタの管状部９０１の外周面の形状や寸法によっては、ゴム管９０２に管状部９０１を挿入するのに手間取る場合があるという問題がある。
【００１１】
ゴム管９０２を把持した時に管状部９０１とゴム管９０２との間に発生する摩擦力を低減する方法としては、特許文献２に記載の技術が公知となっている。これはメス型コネクタの容器接続部よりも硬く構成された把持部を設けてメス型コネクタを把持することで、管状部とゴム管の間に発生する摩擦力を低減しようとするものである。しかし、特許文献２の内容によっても、管状部９０１が挿入される際にメス型コネクタの軟質部分が座屈変形を起こしやすいという問題は依然残されている。
【００１２】
本発明は、上記の従来の問題を解決し、形状や寸法が異なる各種のオス型コネクタに接続することができ、且つ、オス型コネクタへの接続作業が容易であるメス型コネクタ及び接続具を提供することを目的とする。
【課題を解決するための手段】
【００１３】
本発明のメス型コネクタは、液状物が流出する管状部を有するオス型コネクタと接続可能である、軟質部材と硬質部材からなるメス型コネクタであって、軟質部材は可撓性及び弾性を有し、かつ一端にオス型コネクタ管状部が挿入される開口を有する筒状体であって、硬質部材は軟質部材よりも高い剛性を有し、軟質部材の外側周囲に円筒状に軟質部材と一体となるよう積層されて把持部を形成してなることを特徴とする。
【００１４】
また、本発明の接続具は、液状物が流出する管状部を有するオス型コネクタと、前記オス型コネクタに接続されるメス型コネクタとからなる接続具であって、前記メス型コネクタが上記の本発明のメス型コネクタであることを特徴とする。
【発明の効果】
【００１５】
本発明によれば、オス型コネクタの管状部が挿入されるメス型コネクタの挿入部が弾性及び可撓性を有する軟質部材で構成されているので、メス型コネクタを、形状や寸法が異なる各種のオス型コネクタに接続することができる。また、軟質部材で構成された挿入部の外方に硬質部材が積層された把持部を設け、把持部を把持してメス型コネクタとオス型コネクタとを接続させることで、メス型コネクタとオス型コネクタが互いに接近する方向の力が加えやすくなる。また、メス型コネクタを把持しても、軟質部材の外方に硬質部材が形成されているので、把持力が軟質部材に直接伝わりにくくなる。そのため、メス型コネクタを把持する力に起因する軟質部材の潰れや座屈変形を防ぐことができ、メス型コネクタとオス型コネクタとを接続する作業を容易に行なうことができる。
【００１６】
（ＣＬ３に従って変更）
硬質部材は軟質部材の外表面上に一体となるよう形成されていてもよく、またその内側と外側に軟質部材が位置するよう、軟質部材の内部に埋め込まれていてもよい。オス型コネクタの管状部がメス型コネクタに挿入された際に管状部が軟質部材と接する構成であれば、上記の効果を発揮することができる。
【発明を実施するための最良の形態】
【００１７】
本発明の上記のメス型コネクタにおいて、前記硬質部材に、前記オス型コネクタと係合可能な係合部を備えてもよい。この構成により、オス型コネクタと接続されたメス型コネクタがオス型コネクタから意図せずに脱落することを防ぐことができる。
【００１８】
（ＣＬ４に従って変更）
この場合、前記硬質部材は、前記メス型コネクタのオス型コネクタ側の端部よりもさらに前記オス型コネクタ側に突出した鍔部を備え、前記係合部は該鍔部に設けられていることが望ましい。この構成により、オス型コネクタとメス型コネクタを容易に係合させることができる。オス型コネクタとメス型コネクタとを係合させる構造としては、オス型コネクタとメス型コネクタのいずれか一方に設けられた凸部と他方に設けられた凹部を係合させることでオス型コネクタとメス型コネクタとを係合させる構造、オス型コネクタとメス型コネクタのいずれか一方に雄ネジを設け、他方には該雄ネジと螺合可能な雌ネジを設け、雄ネジと雌ネジとを螺合させることでオス型コネクタとメス型コネクタを接続でき、かつその接続状態を維持する構造などが考えられる。
【００１９】
また、本発明の接続具は、液状物が流出する管状部を有するオス型コネクタと、前記オス型コネクタに接続されるメス型コネクタとからなる接続具であって、前記メス型コネクタが上記の本発明のメス型コネクタであることを特徴とする。本発明の接続具において、オス型コネクタとメス型コネクタのそれぞれに、相互に係合しあう係合部が設けられていることが好ましい。この構成により、オス型コネクタの管状部に接続されたメス型コネクタが管状部から意図せずに脱落するのを防止することができる。
【００２０】
以下、本発明を好適な実施の形態を示しながら詳細に説明する。ただし、下記の実施形態は本発明を具現化した例に過ぎず、本発明はこれに限定されない。
【００２１】
（実施の形態１）
図１は本発明の実施の形態１に係るメス型コネクタの概略構成を示した断面図である。本実施の形態１のメス型コネクタ１００は、軟質部材１１０と、軟質部材に外装され、かつ一体となるよう構成された硬質部材１２０とを備える。一点鎖線１３０は軟質部材１１０の中心軸であり、かつ軟質部材１１０と硬質部材１２０が一体化されたメス型コネクタ１００の中心軸である。本実施の形態１の説明においては、中心軸１３０の方向を上下方向とし、図１の紙面上側（後述するオス型コネクタに接続される側）を「上側」、紙面下側を「下側」とする。
【００２２】
軟質部材１１０は中空の筒状体であり、その下端には可撓性を有するチューブ１４０が融着されている。軟質部材１１０の上端には開口１１１が形成されており、中心軸１３０方向において、オス型コネクタの管状部１７２が開口１１０から軟質部材１１０の内腔に挿入されることが予定されている。開口１１１の端を含む軟質部材１１０の領域を特に挿入部と呼ぶ。軟質部材１１０は可撓性及び弾性を有する材料からなり、例えば天然ゴム、合成ゴム（例えばＰＢＤ（ポリブタジエン））、ＰＶＣ（ポリ塩化ビニル樹脂）、ＡＢＳ（アクリロニトリル−ブタジエン−スチレン共重合体）、ポリアミド樹脂、ＥＶＡ（エチレン−酢酸ビニル共重合体）等の熱可塑性樹脂、ポリウレタン樹脂などを用いることができる。このような材料を用いているため、軟質部材１１０のうち、チューブ１４０が融着されている部分以外の部分は可撓性及び弾性を有している。
【００２３】
硬質部材１２０は中空の筒状体であり、その中心軸１３０が軟質部材１１０の中心軸と一致するよう、軟質部材１１０の外表面に一体となるよう取り付けられる。硬質部材１２０は軟質部材１１０よりも高い剛性と硬度を有する材料からなり、例えばポリプロピレン、ポリカーボネート、ポリアセタール、ＰＶＣ、ＰＢＤなどを用いることができる。また、軟質部材１１０と硬質部材１２０が一体となるように形成する方法としては、互いの部材を接着もしくは溶着によって一体化する方法、または二色成型やインサート成形によって一体とする方法などが考えられる。
【００２４】
硬質部材１２０は軟質部材１１０の上側、即ちオス型コネクタ１７０に近い位置に設けられる。軟質部材１２０と硬質部材１１０とが一体化されたときに、互いに層をなす構成となる部分を把持部とする。メス型コネクタ１００をオス型コネクタ１７０と接続する際は、この把持部１５０を把持することで操作を行なう。このようにすることで、メス型コネクタ１００を把持してもその力は硬質部材１２０によって軟質部材の挿入部１１２に伝わりにくい。よって、オス型コネクタの管状部１７２と挿入部１１２との間に発生する摩擦力を低減することができ、オス型コネクタ１７０とメス型コネクタ１００の接続作業を容易に行なうことができる。
【００２５】
図２に医療用容器及びオス型コネクタの一例の概略構成を示した分解図を示す。医療用容器９１０はパウチ９２０と、パウチ内に液状物を注入し、またはパウチ内に収容された液状物を取出すためのポート９３０とを備えている。パウチ９２０は、例えばポリエチレンテレフタレートやナイロン、ポリプロピレン、ポリエチレンなどのプラスチック材料の中から選択される材料によって、公知の方法によって形成される。パウチ９２０は中身を確認するために透明もしくは半透明であることが望ましく、酸素や日光などに対してバリアの役割を果たすための層を備えていてもよい。
【００２６】
パウチ９２０と一体化されたポート９３０には、オス型コネクタ１７０が設けられている。オス型コネクタ１７０は、キャップ部１８０と管状部１７２を備えている。キャップ部１８０の内周面には、パウチと一体化されたポート９３０に設けられた雄ネジと螺合する雌ネジが形成されている。管状部１７２はキャップ部１８０の下面の中央からさらに下方に向かって突出しており、内部には液状物が流通する貫通孔１７３が形成されている。管状部１７２の外周面は、キャップに近づくほど外径が大きくなるテーパ面（円錐台面）を有している。オス型コネクタ１７０の材料は特に制限はなく、例えばポリプロピレンやポリエチレン等のポリオレフィン系樹脂、ポリカーボネート樹脂など、公知の材料を使用することができる。
【００２７】
本実施の形態１における、メス型コネクタとオス型コネクタの接続方法を説明する。図３（Ａ）は接続前の状態を示した断面図、図３（Ｂ）は接続後の状態を示した断面図である。まず把持部１５０を把持し、メス型コネクタの開口１１１内にオス型コネクタの管状部１７２を挿入する。メス型コネクタの挿入部１１２は可撓性及び弾性を有するので、管状部１７２の形状に応じて拡径するなどの変形を行い、その弾性回復力によって管状部１７２の外周面に密着する。この状態でメス型コネクタ１００に矢印１６０方向の力を加えると、管状部１７２が挿入部１１２の奥に侵入するに従って挿入部１１２が変形し、挿入部１１２の弾性回復力によって管状部１７２が保持されることで、オス型コネクタ１７０とメス型コネクタ１００とを接続・保持することが可能となる。管状部１７２の形状や寸法等がメーカーや規格の違いにより異なっても、挿入部１１２が管状部１７２の外周面に応じて弾性変形するので、オス型コネクタ１７０とメス型コネクタ１００とを液状物の漏れなく確実に接続することができる。
【００２８】
この時、メス型コネクタ１００を把持した力は、高い剛性を有する硬質部材１２０によって挿入部１１２に伝わることはない。そのため、挿入部１１２とオス型コネクタの管状部１７２との間の摩擦力が増大しにくくなるので、接続操作を容易に行なうことができる。このとき、図３（Ｃ）に示すメス型コネクタの開口端から把持部までの長さＸがオス型コネクタの管状部の長さよりも短くなるよう設定すれば、オス型コネクタに向かう方向の力（矢印１６０）をメス型コネクタ１００に加えてもメス型コネクタの軟質部材１１０が座屈変形してメス型コネクタ１００とオス型コネクタ１７０との接続を妨げるおそれがなく、より容易に接続操作を行なうことができる。
【００２９】
メス型コネクタの挿入部１１２の内周面は、その内径が中心軸１３０方向に一定である円筒面であってもよいが、図１に示すように、その内径が上端に近づくに従って大きくなるテーパ面であることが好ましい。これにより、オス型コネクタの管状部の外周面の形状や寸法等がメーカーや規格の違いによって異なっても、管状部の外周面の少なくとも一部が挿入部１１２の内周面の少なくとも一部と密着するので、オス型コネクタ１７０とメス型コネクタ１００とを液状物の漏れなく確実に接続することができる。
【００３０】
メス型コネクタの挿入部１１２の内周面には、図１に示すように、周方向に沿った（即ち、中心軸１３０と直行する平面と挿入部の内周面とによって形成される円に沿った）連続する環状の突起１１３が形成されていることが望ましい。これにより、図３（Ｂ）に示すように、メス型コネクタ１００内にオス型コネクタの管状部１７２を挿入した時、突起１１３が管状部１７２の外周面に密着する。そのため、管状部１７２の形状や寸法が異なる場合でも、それに応じて突起１１３は管状部１７２の外周面と密着した状態を維持するので、オス型コネクタ１７０とメス型コネクタ１００とを液状物の漏れなく確実に接続することが出来る。環状の突起１１３は、図１に示すように中心軸１３０方向に複数箇所に設ければより確実に管状部１７２と接触できるが、１つだけ設けられていてもよい。
【００３１】
また、軟質部材の外表面上に一体となるよう形成された硬質部材１２０の外表面に、ナシジ加工やエンボス加工、また図４に示すようなフランジ１１５を設けてもよい。これにより、メス型コネクタをより把持しやすくなり、メス型コネクタに矢印１６０方向の力を加えやすくなる。
【００３２】
（実施の形態２）
図５は本発明の実施の形態２に係るメス型コネクタの概略構成を示した断面図である。本実施の形態２のメス型コネクタ２００は、筒状の軟質部材２１０と、軟質部材の内部に埋め込まれることで軟質部材と一体化された硬質部材２２０とを備える。実施の形態１と同様、一点鎖線２３０は軟質部材２１０の中心軸であり、かつ軟質部材２１０と硬質部材２２０が一体化されたメス型コネクタ２００の中心軸である。本実施の形態２の説明においても、中心軸２３０の方向を上下方向とし、図５の紙面上側（オス型コネクタに接続される側）を「上側」、紙面下側を「下側」とする。なお、オス型コネクタおよびそれが接続されるパウチ等の説明は、実施の形態１と同様であるために省略する。
【００３３】
軟質部材２１０は実施の形態１と同様、中空の筒状体であり、その下端には可撓性を有するチューブ２４０が融着されており、その上端にはオス型コネクタの管状部１７２が挿入される開口２１１が形成されている。本実施例においても、管状部１７２が挿入される軟質部材２１０の開口２１１を含む領域を特に挿入部２１２と呼ぶ。また、軟質部材２１０に使用される材料やその特性も、実施の形態１と同様である。
【００３４】
本実施の形態２における硬質部材２２０は、中空の筒状体である点、軟質部材２１０よりも高い剛性と硬度を有する材料からなる点では実施の形態１と共通している。本実施の形態２においては、図５に示すように、硬質部材２２０の外方に軟質部材２１０の層を設けている点、すなわち、硬質部材２２０は軟質部材２１０の内部に埋め込まれる形で軟質部材２１０と一体となるよう形成されている点に特徴を有する。硬質部材２２０は軟質部材２１０の上方、即ちオス型コネクタ１７０に近い位置に設けられ、メス型コネクタ２００の挿入部２１２の内周面が軟質部材となるような状態で軟質部材２１０の内部に埋め込まれる。軟質部材２１０と硬質部材２２０とが層をなす部分を把持部２５０とする。メス型コネクタ２００とオス型コネクタ１７０を接続する際に、この把持部２５０を把持して接続操作を行なうことで、メス型コネクタ２００を把持した時に加わる把持力は硬質部材２２０によって軟質部材の挿入部２１２に伝わりにくくなる。よって、オス型コネクタの管状部１７２と挿入部２１２の間に発生する摩擦力を低減することができ、オス型コネクタ１７０とメス型コネクタ２００との接続操作を容易に行なうことができる。
【００３５】
本実施の形態２における、メス型コネクタ２００とオス型コネクタ１７０の接続方法を説明する。図６（Ａ）は接続前の状態を示した断面図であり、図６（Ｂ）は接続後の状態を示した断面図である。まず、把持部２５０を把持してメス型コネクタの開口２１１内にオス型コネクタの管状部１７２を挿入する。実施の形態１と同様メス型コネクタの挿入部２１２は軟質部材で構成されているために可撓性および弾性を有する。そのため、管状部１７２の形状に応じて拡径するなどの変形を行い、その弾性回復力によって管状部１７２の外周面に密着する。この状態でメス型コネクタ２００に矢印２６０方向の力を加えると、管状部１７２が挿入部２１２の奥に侵入するに従って挿入部２１２が変形し、挿入部２１２の弾性回復力によって管状部１７２が保持されることで、オス型コネクタ１７０とメス型コネクタ２２０とを接続・保持することが可能となる。管状部１７２の形状や寸法等がメーカーや規格の違いにより異なっても、挿入部２１２が管状部１７２の外周面に応じて弾性変形するので、オス型コネクタ１７０とメス型コネクタ２００とを液状物の漏れなく確実に接続することができる。
【００３６】
この時、メス型コネクタ２００を把持した力は、軟質部材２１０の内部に埋め込まれた硬質部材２２０によって挿入部２１２に伝わることはない。そのため、挿入部２１２とオス型コネクタの管状部１７２との間の摩擦力が増大しにくくなるので、接続操作を容易に行なうことができる。このとき、実施の形態１と同じく、メス型コネクタ２００の開口端から把持部２５０までの長さがオス型コネクタの管状部の長さよりも短くなるよう設定することで、オス型コネクタに向かう方向の力（矢印２６０）をメス型コネクタに加えてもメス型コネクタの軟質部材が座屈変形を起こすおそれがなく、より容易に接続操作を行なうことができる点は実施の形態１と同様である。
【００３７】
硬質部材２２０を軟質部材２１０の内部に埋め込むという構成により、メス型コネクタの最外面は軟質部材２１０で構成される。そのため、その弾性および可撓性によってメス型コネクタ２００を把持する力が軟質部材２１０によって吸収され、さらに硬質部材２２０の存在によって把持力がメス型コネクタの挿入部２１２に伝わることはない。つまり、より強固な力でメス型コネクタ２００を把持しても、オス型コネクタの管状部１７２と挿入部２１２の間に発生する摩擦力を低減することができるので、オス型コネクタ１７０とメス型コネクタ２００との接続操作をより容易に行なうことができる。なお、把持部２５０の表面にナシジ加工やエンボス加工、フランジ等を設けることも、把持部２５０をより把持しやすくなるので望ましい。
【００３８】
実施の形態１と同様、本実施の形態２におけるメス型コネクタの挿入部２１２の内周面を、その内径が上端に近づくに従って大きくなるテーパ面としてもよく、また挿入部の内周面に、周方向に沿った連続する環状の突起を形成してもよい。さらに、これらの構成を併せて設けてもよい。これらの構成によって、オス型コネクタの管状部を挿入部に挿入した際、管状部の少なくとも一部と挿入部の内周面の少なくとも一部とが密着するので、オス型コネクタとメス型コネクタとを液状物の漏れなく確実に接続することができる。
【００３９】
上記の構成に加え、オス型コネクタとメス型コネクタとを接続した際、メス型コネクタがオス型コネクタから意図せずに脱落するための係合部をメス型コネクタに設けてもよい。以下、係合部が設けられたメス型コネクタ、およびこれに対応した係合部が設けられたオス型コネクタについて説明する。
【００４０】
（実施の形態３）
図７（Ａ）は、本発明の実施の形態３に係るオス型コネクタ３７０の正面図、図７（Ｂ）はその下面図である。一点鎖線３３０はオス型コネクタ３７０の中心軸を示し、中心軸３３０の方向を上下方向、図７の紙面上側（医療用容器のポートに接続される側）を「上側」、紙面下側（メス型コネクタが接続される側）を「下側」とする。
【００４１】
本実施例３におけるオス型コネクタ３７０は、キャップ部３８０、台座３７１、管状部３７２から構成される。キャップ部３８０の内周面には、医療用容器のポートに設けられた雄ネジと螺合する雌ネジが形成されている。キャップ部３８０の下面には、その中央の円形の領域がその周囲の環状領域３７４よりも下方に突出した台座３７１が形成されており、台座３７２の中央にはさらに下方に向かって突出した管状部３７２が設けられている。本例における管状部３７２の外周面には、キャップ部３８０に近づくほど外径が大きくなるテーパ面（円錐台面）が形成されており、管状部３７２には、医療用容器内の液状物が流出するための貫通孔３７３が形成されている。
【００４２】
台座３７１の外周面には、中心軸３３０に対して対称となるよう一対の係合爪３７５が形成されている。係合爪３７５は、中心軸３３０に対して放射方向に突出して形成されている。台座３７１の下面は平面であり、この下面と係合爪３７５の下面とは一致している。一対の係合爪３７５の形状は中心軸３３０に対して対称であり、互いの頂部間の距離が、係合爪３７５が設けられていない台座３７１の部分の外径よりも大きくなるよう形成されている。
【００４３】
図８は、本実施の形態３に係るメス型コネクタ３００の断面図であり、図９（Ａ）はその上面図、図９（Ｂ）はメス型コネクタ３００の上端側の正面図、図９（Ｃ）はメス型コネクタの上端側の側面図である。また、図１０（Ａ）は図９（Ｂ）のＢ−Ｂ’線での矢視断面図、図１０（Ｂ）は図９（Ｃ）のＣ−Ｃ’線での矢視断面図である。一点鎖線３３０はメス型コネクタ３００の中心軸であり、中心軸３３０の方向を上下方向、オス型コネクタに接続される側を「上側」、その反対側を「下側」とする。
【００４４】
本実施の形態３に係るメス型コネクタ３００は、図８に示すように、円筒状の軟質部材３１０と、該軟質部材と一体となるように形成された硬質部材３２０とからなる点、軟質部材３１０と硬質部材３２０が層をなす部分が把持部３５０となる点等、その大部分の構成を実施の形態１または２に記載の構成と同じくする。本実施例においては、硬質部材３２０の上側の端部からさらに上方、即ちオス型コネクタ側に突出した鍔部３２１を設けている。本実施例における鍔部３２１は、中心軸３３０を中心軸とする円筒面にほぼ沿った形状の円弧状壁３２２と、円弧状壁３２２の下端と硬質部材３２０の上端とを繋ぐ渡り部３２３とから構成される。さらに円弧状壁３２２は、図１０（Ａ）に示すように、中心軸３３０に対向する内周面の形状の相違により、通過領域３２４、係合領域３２５、摺動領域３２６の３つの領域に大別される。通過領域３２４の内周面の中心軸３３０からの距離は、摺動領域３２６の内周面の中心軸３３０からの距離よりも大きくなるように構成される。通過領域３２４と摺動領域３２６との間に位置する係合領域３２５は、その上端に、通過領域３２４の上端と摺動領域３２６の上端とを繋ぐように周方向に延在する係合壁３２７を備える。係合壁３７２と渡り部３２２との間には、凹状に陥没し、半径方向に開口した貫通孔３２８を有している。
【００４５】
対向する一対の通過領域３２４間の長さは、オス型コネクタ３７０に設けられた一対の係合爪３７５の頂部間の距離よりも大きい。また、対向する一対の摺動領域３２６間の長さは、一対の係合爪３７５の頂部間の距離よりも小さく、オス型コネクタの台座３７１の外径よりも大きい。
【００４６】
本実施の形態３における、メス型コネクタのオス型コネクタへの接続方法を説明する。まず、実施の形態１および２と同様、メス型コネクタの把持部３５０を把持し、メス型コネクタの挿入部３１２にオス型コネクタの管状部３７２を挿入する。挿入部３１２は軟質部材から構成されているので弾性および可撓性を有し、そのため挿入された管状部３７２の外周面の形状に応じて変形し、その弾性回復力によって管状部３７２の外周面に密着する。また、メス型コネクタ３００を把持することで加わる力、またメス型コネクタ３００がオス型コネクタ３７０に向かうように加えられる力は、硬質部材３２０によって挿入部３１２の内周面に伝わることはない。そのため、挿入部３１２と管状部３７２との間の摩擦力は増大することはなく、オス型コネクタ３７０とメス型コネクタ３００とを容易に接続することができる。また、硬質部材３２０はメス型コネクタ３００の上端からさらに上方に鍔部３２１として突出する形状であるので、硬質部材３２０は把持部３５０からメス型コネクタの開口３１１まで存在する。そのため、把持部３５０のどこを把持しても、把持した部分から開口３１１側の領域が座屈変形を起こすことはなく、接続操作を容易に行なうことができる。
【００４７】
さらに挿入部３１２内に管状部３７２を深く挿入すると、やがて鍔部３２１に設けられた円弧状壁３２２の間にオス型コネクタの台座３７１が嵌入する。ここで鍔部３２１の通過領域３２４とオス型コネクタの台座に設けられた係合爪３７５の位置が一致する状態で、さらに管状部３７２を挿入部３１２内に深く挿入すると、オス型コネクタの台座３７１とメス型コネクタの開口３１１の上端が当接する。この状態で、メス型コネクタ３００をオス型コネクタ３７０に対して時計回りに回転させると、係合爪３７５は円弧状壁３２２の通過領域３２４から係合領域３２５へと位置を変える。一対の摺動領域３２６の間の長さは一対の係合爪３７５の頂部間距離よりも小さいので、係合爪３７５が貫通孔３２８の摺動領域３２６側の端部に当接すると、それ以上のメス型コネクタ３００の回転は制限される。この状態であれば係合爪３７５と貫通孔３２８が係合することでオス型コネクタ３７０とメス型コネクタ３００の接続状態を強固にすることができ、不意に上下方向の力が加わってもその接続状態が解除されることはない。
【００４８】
オス型コネクタ３７０とメス型コネクタ３００の接続状態の解除は、上記の動作を逆に行なうことで可能である。即ち、メス型コネクタ３００をオス型コネクタ３７０に対して反時計回り方向に回転させれば、係合爪３７５は係合領域３２５から通過領域３２４へとその位置を変える。この状態でメス型コネクタ３００をオス型コネクタ３７０から引き抜けば、その接続状態を解除することができる。
【００４９】
オス型コネクタ３７０に設けられる、台座３７１を含む係合爪３７５周辺の形状が、メス型コネクタに設けられた鍔部３２１の形状に対応していれば、オス型コネクタとメス型コネクタを係合させることができる。即ち、オス型コネクタの管状部の形状や寸法がメーカーや規格の違いによって異なっていても、台座を含む係合爪周辺の形状が鍔部の形状に対応していれば、上記の方法に従ってオス型コネクタとメス型コネクタを係合させることができるので、接続状態をより強固に維持することができる。仮に台座を含む係合爪周辺の形状が鍔部の形状と対応していなくても、メス型コネクタの挿入部３１２の内周面は軟質部材から構成されているので、挿入部３１２の内周面はオス型コネクタの管状部の外周面に応じて弾性変形し、オス型コネクタとメス型コネクタを液状物の漏れなく接続することができる。
【００５０】
係合爪３７５を、管状部３７２が設けられたオス型コネクタの台座３７１の面に沿って配置すれば、台座３７１の高さをより小さくすることができる。このことにより、メス型コネクタ３００の円弧状壁３２２の高さも小さくできるので、部材全般をよりコンパクトに形成することができる。
【００５１】
円弧状壁３２２の高さをオス型コネクタの台座３７１の高さと等しくなるようにすれば、オス型コネクタ３７０とメス型コネクタ３００をより強固に接続することができる上、メス型コネクタ３００とオス型コネクタ３７０との接続部を円弧状壁３２２で覆い隠すことができるので、衛生面で有利である。
【００５２】
円弧状壁３２２は硬質部材３２０の周方向の一部に設けられる形であってもよいが、硬質部材３２０の全周に亘って設けられていてもよい。硬質部材３２０の全周に亘って設けられていれば、オス型コネクタ３７０とメス型コネクタ３００との接続部が全周に亘って覆い隠されるので、衛生面で有利である。
【００５３】
本実施の形態３において、円弧状壁３２２に設けられた貫通孔３２８は、その外側が壁で閉じられていてもよい。この構成により、オス型コネクタ３７０とメス型コネクタ３００との接続部を円弧状壁３２２によって覆い隠すことができるので、衛生面で有利である。また、貫通孔３２８の摺動領域３２６側の端部の上側に、係合爪３７５が嵌入できる程度の凹部を設ければ、オス型コネクタ３７０とメス型コネクタ３００とを接続させた際、係合爪３７５を該凹部に嵌入させることで係合爪３７５の移動を制限することができる。よって、不意にメス型コネクタ３００を回転させるような力が加わっても、メス型コネクタ３００が回転するのを防ぐことができる。
【００５４】
本実施の形態には、実施の形態１および／または実施の形態２の説明をそのまま、または自明な変更を適宜追加して適応することができる。
【００５５】
（実施の形態４）
図１１（Ａ）は、本発明の実施の形態４に係るオス型コネクタの正面図、図１１（Ｂ）はその下面図である。一点鎖線４３０はオス型コネクタ４７０の中心軸を示し、中心軸４３０の方向を上下方向、図１１の紙面上側（医療用容器のポートに接続される側）を「上側」、紙面下側（メス型コネクタが接続される側）を「下側」とする。
【００５６】
本実施の形態４におけるオス型コネクタ４７０は、キャップ部４８０、台座４７１、管状部４７２から構成される。キャップ部４８０の内周面には、医療用容器のポートに設けられた雄ネジと螺合する雌ネジが形成されている。キャップ部４８０の下面には、その中央の円形の領域がその周囲の環状領域４７３よりも下方に突出した台座４７１が形成されており、台座４７１の中央にはさらに下方に向かって突出した管状部４７２が設けられている。本例における管状部４７２の外周面には、キャップ部４８０に近づくほど外径が大きくなるテーパ面（円錐台面）が形成されており、管状部４７２には、医療用容器内の液状物が流出するための貫通孔４７５が形成されている。そして、台座４７１の外周面には、雄ネジ４７４が形成されている。
【００５７】
図１２は、本実施の形態４に係るメス型コネクタ４００の概略構成を示した断面図である。また、図１３（Ａ）は、本実施の形態４に係るメス型コネクタの正面図であり、図１３（Ｂ）はその断面図である。一点鎖線４３０はメス型コネクタ４００の中心軸であり、中心軸４３０の方向を上下方向、オス型コネクタに接続される側を「上側」、その反対側を「下側」とする。
【００５８】
本実施の形態４に係るメス型コネクタ４００は、図１２に示すように、大部分が実施の形態１および／または２において説明したものと同様であり、円筒状の軟質部材４１０と、該軟質部材と一体となるように形成された硬質部材４２０とからなるものである。そして、実施の形態３と同様、硬質部材４２０の上側の端部からさらに上方、即ちオス型コネクタ側４７０に突出した鍔部４２１を設けている。本実施の形態４における鍔部４２１は、円筒状に形成されており、その内面には台座４７１の外周面に設けられた雄ネジ４７４と螺合する雌ネジ４２２が設けられている点に特徴を有する。
【００５９】
本実施の形態４のメス型コネクタ４００のオス型コネクタ４７０への接続方法を説明する。まず、他の実施の形態と同様、メス型コネクタの把持部４５０を把持し、メス型コネクタの挿入部４１２にオス型コネクタの管状部４７２を挿入する。挿入部４１２は軟質部材から構成されているので弾性および可撓性を有し、そのため挿入された管状部４７２の外周面の形状に応じて変形し、その弾性回復力によって管状部４７２の外周面に密着する。また、メス型コネクタ４００を把持することで加わる力、またメス型コネクタ４００にオス型コネクタ４７０に向かうように加えられる力は、硬質部材４２０によって挿入部４１２の内周面に伝わることはない。そのため、挿入部４１２と管状部４７２との間の摩擦力は増大することはなく、オス型コネクタ４７０とメス型コネクタ４００とを容易に接続することができる。また、硬質部材４２０はメス型コネクタ４００の上端からさらに上方に鍔部４２１として突出する形状である。よって、硬質部材４２０は把持部４５０からメス型コネクタの開口４１１まで存在する。そのため、把持部４５０のどこを把持しても、把持した部分から開口４１１側の領域が座屈変形を起こすことはなく、接続操作を容易に行なうことができる。
【００６０】
さらにメス型コネクタ４００にオス型コネクタに向かう方向の力を加え挿入部４１２内に管状部４７２を深く挿入しつつ、メス型コネクタ４００をオス型コネクタ４７０に対して時計回り方向に回転させる。すると、オス型コネクタの台座４７１の外周面に設けられた雄ネジ４７４とメス型コネクタの鍔部４２１に設けられた雌ネジ４２２が噛み合う。この状態でさらにメス型コネクタ４００をオス型コネクタ４７０に対して時計回り方向に回転させれば、台座の雄ネジ４７４と鍔部の雌ネジ４２２による螺合によってメス型コネクタ４００が上昇し、ついには鍔部４２２の上端がオス型コネクタの環状領域４７３に当接し、メス型コネクタ４００はそれ以上回転しない。このようにオス型コネクタ４７０とメス型コネクタ４００が螺合することで、互いの接続をより強固なものとすることができ、不意に衝撃等が加わってもその接続状態が解除されにくくなる。
【００６１】
オス型コネクタ４７０とメス型コネクタ４００の接続状態の解除は、上記の動作を逆に行なうことで可能である。即ち、メス型コネクタ４００をオス型コネクタ４７０に対して反時計回り方向に回転させれば、オス型コネクタ４７０とメス型コネクタ４００の螺合は解除され、雄ネジ４７４と雌ネジ４２２が離間した時点でメス型コネクタ４００をオス型コネクタ４７０から引き抜けば、その接続状態を解除することができる。
【００６２】
オス型コネクタ４７０に設けられる雄ネジの形状が、メス型コネクタの鍔部４２１に設けられる雌ネジの形状に対応していれば、雄ネジと雌ネジを螺合させることによって、上記のようにオス型コネクタとメス型コネクタを接続することができる。即ち、オス型コネクタの管状部の形状や寸法等がメーカーや規格の違いにより異なっていても、オス型コネクタの台座の外周面にメス型コネクタの鍔部４２１に設けられた雌ネジと対応する雄ネジが設けられていれば、上記の方法に従ってオス型コネクタとメス型コネクタを接続することができるので、接続状態をより強固に維持することができる。仮にオス型コネクタに雌ネジ４２１と対応する雄ネジが設けられていなかったとしても、メス型コネクタの挿入部の内周面は軟質部材から構成されているので、挿入部の内周面は管状部の外周面に応じて弾性変形し、オス型コネクタとメス型コネクタを液状物の漏れなく接続することができる。
【００６３】
本実施の形態４において、オス型コネクタ側の雄ネジ４７４とメス型コネクタ側の雌ネジ４２２を螺合させたときに、その螺合が緩まないようにするための機構を設けてもよい。該機構としては、例えばオス型コネクタの環状領域４７３および鍔部４２１の上端面に突起を設け、オス型コネクタ４７０とメス型コネクタ４００とを螺合させたときに互いの突起同士が係合することで螺合が緩まないようにする機構、ネジ山の一部を他の部分よりも高く形成し、該部分が噛み合った時にネジ山が緩むのを防ぐ効果を発する機構などが考えられる。
【００６４】
本実施の形態４における鍔部４２１の高さは、オス型コネクタの台座４７１の高さと実質的に同じであることが望ましい。このような構成にすることで、オス型コネクタ４７０とメス型コネクタ４００を上記手順によって接続した時に、オス型コネクタの台座４７１は鍔部４２１によってほぼ全体が覆われるので、オス型コネクタ４７０とメス型コネクタ４００の接続部位を覆い隠すことができ、衛生面で有利である。
【００６５】
本実施の形態には、実施の形態１および／または実施の形態２の説明をそのまま、または自明な変更を適宜追加して適応することができる。
【００６６】
（実施の形態５）
図１４（Ａ）は、本発明の実施の形態５に係るオス型コネクタの正面図、図１４（Ｂ）はその下面図である。一点鎖線５３０はオス型コネクタ５７０の中心軸を示し、中心軸５３０の方向を上下方向、図１２の紙面上側（医療用容器のポートに接続される側）を「上側」、紙面下側（メス型コネクタが接続される側）を「下側」とする。
【００６７】
本実施の形態５におけるオス型コネクタ５７０は、キャップ部５８０、台座５７１、管状部５７２から構成される。キャップ部５８０の内周面には、医療用容器のポートに設けられた雄ネジと螺合する雌ネジが形成されている。キャップ部５８０の下面には、その中央の円形の領域がその周囲の環状領域５８３よりも下方に突出した台座５７１が形成されており、台座５７１の中央にはさらに下方に向かって突出した管状部５７２が設けられている。本例における管状部５７２の外周面には、キャップ部５８０に近づくほど外径が大きくなるテーパ面（円錐台面）が形成されており、管状部５７２には、医療用容器内の液状物が流出するための貫通孔５７４が形成されている。
【００６８】
台座５７１の外周面には、中心軸５３０に対して放射方向に突出した係合突起５７５が台座５７１の全周に亘って連続して環状に形成されている。台座５７１の下面（即ち、管状部５７２が設けられた面）は平面であり、該下面と係合突起５７５の下面とは一致している。係合突起５７５と環状領域５７３との間には、係合突起５７５よりも外径が小さいアンダーカット部５７６が形成されている。
【００６９】
図１５は、本実施の形態５に係るメス型コネクタ５００の概略構成を示す断面図である。また、図１６（Ａ）はその上面図、図１６（Ｂ）はメス型コネクタ５００の上端側の側面図、図１６（Ｃ）は図１６（Ａ）のＡ−Ａ’線での矢視断面図である。一点鎖線５３０はメス型コネクタ５００の中心軸であり、中心軸５３０の方向を上下方向、オス型コネクタに接続される側を「上側」、その反対側を「下側」とする。
【００７０】
本実施の形態５に係るメス型コネクタ５００は、図１５に示すように、大部分が実施の形態１および／または２において説明したものと同様であり、軟質部材５１０と、該軟質部材と一体となるように形成された硬質部材５２０とからなるものである。本実施の形態５に係るメス型コネクタ５００は、硬質部材５２０が、メス型コネクタ５００の上端からさらに上方に突出した一対のクリップ５２１を備えている点に特徴を有する。
【００７１】
一対のクリップ５２１のそれぞれには、相手方のクリップに向かって突出した一対の係合爪５２２を備えている。係合爪５２２の上面には、中心軸５３０に対してやや下方に傾斜する傾斜面５２３が形成されている。一対のクリップ５２１の高さは、オス型コネクタの台座５７１の高さと実質的に同等であることが望ましい。また、メス型コネクタの開口５１１の上端面から係合爪５２２の下面までの高さは、台座５７１の下面から係合突起５７５の上面までの長さと実質的に同等であることが望ましい。
【００７２】
本実施の形態５のメス型コネクタのオス型コネクタへの接続方法を説明する。まず、他の実施の形態と同様、メス型コネクタの把持部５５０を把持し、メス型コネクタの挿入部５１２にオス型コネクタの管状部５７２を挿入する。挿入部５１２は軟質部材から構成されているので弾性および可撓性を有し、そのため挿入された管状部５７２の外周面の形状に応じて変形し、その弾性回復力によって管状部５７２の外周面に密着する。また、メス型コネクタ５００を把持することで加わる力、またメス型コネクタ５００をオス型コネクタ５７０に向かうように加えられる力は、硬質部材５２０によって挿入部５１２の内周面に伝わることはない。そのため、挿入部５１２と管状部５７２との間の摩擦力は増大することはなく、オス型コネクタ５７０とメス型コネクタ５００とを容易に接続することができる。また、硬質部材５２０はメス型コネクタ５００の上端からさらに上方に一対のクリップ５２１として突出する形状であるので、硬質部材５２０は把持部５５０からメス型コネクタの開口５１１まで存在する。そのため、把持部５５０のどこを把持しても、把持した部分から開口５１１側の領域が座屈変形を起こすことはなく、接続操作を容易に行なうことができる。
【００７３】
オス型コネクタの管状部５７２をメス型コネクタの挿入部５１２内に深く挿入すると、やがてメス型コネクタ５００の上端から突出したクリップ５２１の傾斜面５２３とオス型コネクタに設けられた係合突起５７５の下面が接触する。この状態でさらに管状部５７２を挿入部５１２内に深く挿入すると、クリップ５２１は互いに離れる方向（即ちメス型コネクタ５００の外方）に向かって弾性変形し、係合爪５２２が係合突起５７５を乗り越えるとクリップ５２１が弾性回復し、係合爪５２２がオス型コネクタのアンダーカット部５７６に嵌入する。このように係合爪５２２と係合突起５７５が係合することで、オス型コネクタ５７０とメス型コネクタ５００との接続状態をより強固に維持することができ、不意に衝撃が加わっても、その接続状態が解除されにくくなる。オス型コネクタ５７０とメス型コネクタ５００の接続状態を解除する時はクリップ５２１を外方向に弾性変形させ、係合爪５２２の先端同士の距離が係合突起５７５の直径方向の距離よりも長くなった状態でメス型コネクタ５００をオス型コネクタ５７０から引き抜けば、接続状態を解除することができる。
【００７４】
オス型コネクタ５７０に設けられる係合突起５７５の形状が、メス型コネクタ５００に設けられるクリップ５２１の形状に対応していれば、係合突起５７５とクリップ５２１を係合させることによって、上記のようにオス型コネクタとメス型コネクタを接続することができる。即ち、オス型コネクタの管状部の形状や寸法等がメーカーや規格の違いにより異なっていても、オス型コネクタに上記の係合突起が設けられていれば、上記の方法に従ってオス型コネクタとメス型コネクタを接続することができるので、接続状態をより強固に維持することができる。仮にオス型コネクタに係合突起が設けられていなかったとしても、メス型コネクタの挿入部５１２の内周面は軟質部材から構成されているので、挿入部５１２の内周面は管状部５７２の外周面に応じて弾性変形し、オス型コネクタ５７０とメス型コネクタ５００を液状物の漏れなく接続することができる。
【００７５】
係合突起５７６は、オス型コネクタの台座５７１の外周面に全周に亘って設けられているが、図１７に示すように、中心軸５３０に対して放射方向に延びるスリット５７７を設けた部分があってもよい。この場合、スリット５７７はメス型コネクタのクリップ５２１に対応する位置に設けられていることが好ましい。この構成によれば、クリップ５２１をスリット５７７に通してクリップの係合爪５２２をアンダーカット部５７６に到達させ、その状態で中心軸５３０を軸にメス型コネクタ５００を回転させれば係合突起５７５と係合爪５２２を係合させることができ、上下方向に力が加わってもオス型コネクタ５７０とメス型コネクタ５００との接続状態が解除されにくくなる。また、オス型コネクタ５７０とメス型コネクタ５００との接続を解除させる場合には、メス型コネクタ５００を回転させてクリップ５２１の位置とスリット５７７の位置を一致させ、その状態でメス型コネクタ５００をオス型コネクタ５７０から引き抜けば、容易に接続を解除することができる。
【００７６】
係合突起５７５は、前記台座５７１の管状部５７２が設けられた面に沿って設けられていることが望ましい。この構成によれば、オス型コネクタ５７０及びメス型コネクタ５００のクリップ５２１の上下方向の長さを小さく設定することが可能となり、部材をコンパクトに形成することができる。
【００７７】
また、メス型コネクタ５００に設けられたクリップ５２１および係合爪５２２は一対のものとして説明してきたが、その数は２つに限定されず、１つまたは３つ以上であってもよい。
【００７８】
本実施の形態には、実施の形態１および／または実施の形態２の説明をそのまま、または自明な変更を適宜追加して適応することができる。
【００７９】
上記の実施の形態１ないし５においては、図２に示したようにオス型コネクタのキャップ部内面に設けられた雌ネジと医療用容器のポートに形成された雄ネジが螺合することでオス型コネクタが医療用容器に接続される例に従って説明をしてきたが、医療用容器のポートに雌ネジが設けられ、オス型コネクタ側に雄ネジが設けられた構成でもよい。また、図１８に示すように、オス型コネクタの台座および管状部等の構成が医療用容器のポートに一体化されて形成されていてもよい。
【産業上の利用可能性】
【００８０】
本発明の利用分野は特に制限はないが、例えば経腸栄養療法や静脈栄養療法を行なう際に使用される医療用容器に使用することができる。そのほか、医療用以外の食品などの液状物を取り扱い容器やチューブなどにも使用することができる。
【図面の簡単な説明】
【００８１】
【図１】本発明の実施の形態１に係るメス型コネクタの概略構成を示した断面図である。
【図２】医療用容器及びオス型コネクタの概略構成を示した図である。
【図３】オス型コネクタに本発明の実施の形態１に係るメス型コネクタを接続する方法を示した断面図であり、（Ａ）は接続前の状態、（Ｂ）は接続後の状態をそれぞれ示す。また、（Ｃ）はメス型コネクタの上端側の拡大図である。
【図４】本発明の実施の形態１に係るメス型コネクタのほかの実施例の概略構成を示した図であり、（Ａ）はその側面図、（Ｂ）はその上面図である。
【図５】本発明の実施の形態２に係るメス型コネクタの概略構成を示した図であり、（Ａ）はその断面図、（Ｂ）はその上面図である。
【図６】オス型コネクタに本発明の実施の形態２に係るメス型コネクタを接続する方法を示した断面図であり、（Ａ）は接続前の状態、（Ｂ）は接続後の状態をそれぞれ示す。
【図７】（Ａ）は本発明の実施の形態３に係るオス型コネクタの側面図、（Ｂ）はその下面図である。
【図８】本発明の実施の形態３に係るメス型コネクタの概略構成を示した断面図である。
【図９】（Ａ）は本発明の実施の形態３に係るメス型コネクタの上面図、（Ｂ）はその正面図、（Ｃ）はその側面図である。
【図１０】（Ａ）は図９（Ｂ）のＢ−Ｂ’線での矢視断面図、（Ｂ）は図９（Ｃ）のＣ−Ｃ’線での矢視断面図である。
【図１１】（Ａ）は本発明の実施の形態４に係るオス型コネクタの側面図、（Ｂ）はその下面図である。
【図１２】本発明の実施の形態４に係るメス型コネクタの概略構成を示した断面図である。
【図１３】（Ａ）は本発明の実施の形態４に係るメス型コネクタの側面図、（Ｂ）はその断面図である。
【図１４】（Ａ）は本発明の実施の形態５に係るオス型コネクタの側面図、（Ｂ）はその下面図である。
【図１５】本発明の実施の形態５に係るメス型コネクタの概略構成を示した断面図である。
【図１６】（Ａ）は本発明の実施の形態５に係るメス型コネクタの上面図、（Ｂ）はその側面図、（Ｃ）は図１６（Ａ）のＡ−Ａ’線での矢視断面図である。
【図１７】（Ａ）は本発明の実施の形態５に係るオス型コネクタの他の実施例を示した側面図、（Ｂ）はその下面図である。
【図１８】医療用容器及びオス型コネクタのほかの実施例の概略構成を示した図である。
【図１９】従来のオス型コネクタの管状部の一例を示した側面図である。
【図２０】従来のオス型コネクタの管状部の一例を示した側面図である。
【図２１】従来のオス型コネクタの管状部の一例を示した側面図である。
【図２２】従来のオス型コネクタの管状部の一例を示した側面図である。
【図２３】従来のオス型コネクタの管状部の一例を示した側面図である。
【図２４】従来のオス型コネクタの管状部の一例を示した側面図である。
【図２５】従来のオス型コネクタの管状部の一例を示した側面図である。
【図２６】従来のオス型コネクタの管状部の一例を示した側面図である。
【図２７】従来のオス型コネクタの管状部の一例を示した側面図である。
【図２８】オス型コネクタに従来の汎用型のメス型コネクタを接続する方法の一例を示した断面図であり、（Ａ）は接続前の状態、（Ｂ）は接続中の状態、（Ｃ）は接続後の状態をそれぞれ示す。
【符号の説明】
【００８２】
１００            メス型コネクタ
１１０            軟質部材
１１１            開口
１１２            挿入部
１１３            環状の突起
１１４            段差
１１５            フランジ
１２０            硬質部材
１２２            スリット
１３０            中心軸
１４０            チューブ
１５０            把持部
１６０            メス型コネクタがオス型コネクタに向かう方向の力
１７０            オス型コネクタ
１７２            管状部
１７３            貫通孔
１８０            キャップ部
２００            メス型コネクタ
２１０            軟質部材
２１１            開口
２１２            挿入部
２２０            硬質部材
２３０            中心軸
２４０            チューブ
２５０            把持部
２６０            メス型コネクタがオス型コネクタに向かう方向の力
３００            メス型コネクタ
３１０            軟質部材
３１１            開口
３１２            挿入部
３２０            硬質部材
３２１            鍔部
３２２            円弧状壁
３２３            渡り部
３２４            通過領域
３２５            係合領域
３２６            摺動領域
３２７            係合壁
３２８            貫通孔
３３０            中心軸
３５０            把持部
３７０            オス型コネクタ
３７１            台座
３７２            管状部
３７３            貫通孔
３７４            環状領域
３７５            係合爪
４００            メス型コネクタ
４１０            軟質部材
４１１            開口
４１２            挿入部
４２０            硬質部材
４２１            鍔部
４２２            雌ネジ
４３０            中心軸
４５０            把持部
４７０            オス型コネクタ
４７１            台座
４７２            管状部
４７３            環状領域
４７４            雄ネジ
４７５            貫通孔
５００            メス型コネクタ
５１０            軟質部材
５１１            開口
５１２            挿入部
５２０            硬質部材
５２１            クリップ
５２２            係合爪
５２３            傾斜部
５３０            中心軸
５５０            把持部
５７０            オス型コネクタ
５７１            台座
５７２            管状部
５７３            環状領域
５７４            貫通孔
５７５            係合突起
５７６            アンダーカット部
５７７            スリット
６００            医療用容器
６２０            パウチ
６２１            シール領域
６２２            孔
６２３            ファスナー
６３０            オス型コネクタ（ポート）
６３１            管状部
９０１            オス型コネクタ
９０２            ゴム管
９０３            チューブ
９１０            ゴム管がオス型コネクタに向かう力
【図１】
2010126250.tif 000003
【図２】
2010126250.tif 000004
【図３】
2010126250.tif 000005
【図４】
2010126250.tif 000006
【図５】
2010126250.tif 000007
【図６】
2010126250.tif 000008
【図７】
2010126250.tif 000009
【図８】
2010126250.tif 000010
【図９】
2010126250.tif 000011
【図１０】
2010126250.tif 000012
【図１１】
2010126250.tif 000013
【図１２】
2010126250.tif 000014
【図１３】
2010126250.tif 000015
【図１４】
2010126250.tif 000016
【図１５】
2010126250.tif 000017
【図１６】
2010126250.tif 000018
【図１７】
2010126250.tif 000019
【図１８】
2010126250.tif 000020
【図１９】
2010126250.tif 000021
【図２０】
2010126250.tif 000022
【図２１】
2010126250.tif 000023
【図２２】
2010126250.tif 000024
【図２３】
2010126250.tif 000025
【図２４】
2010126250.tif 000026
【図２５】
2010126250.tif 000027
【図２６】
2010126250.tif 000028
【図２７】
2010126250.tif 000029
【図２８】
2010126250.tif 000030